(57)【要約】本発明は２,３,３,３−テトラフルオロプロピレン５０〜９０重量部、トランス−１,３,３,３−テトラフルオロプロピレン５〜３０重量部、フルオロエタン５〜２０重量部からなる、ヒドロフルオロオレフィンを含有する冷媒組成物を開示し、本発明の組成物は、ＧＷＰ値が低く、環境に優しく、冷却効果が高く、潤滑剤との相容性に優れるという利点を有する。【選択図】なし【特許請求の範囲】
【請求項１】
ヒドロフルオロオレフィンを含有する冷媒組成物であって、２,３,３,３−テトラフルオロプロピレン５０〜９０重量部、トランス−１,３,３,３−テトラフルオロプロピレン５〜３０重量部、フルオロエタン５〜２０重量部からなることを特徴とする冷媒組成物。
【請求項２】
２,３,３,３−テトラフルオロプロピレン６０〜８０重量部、トランス−１,３,３,３−テトラフルオロプロピレン１５〜３０重量部、フルオロエタン５〜１０重量部からなることを特徴とする請求項１に記載のヒドロフルオロオレフィンを含有する冷媒組成物。
【請求項３】
２,３,３,３−テトラフルオロプロピレン７０〜８０重量部、トランス−１,３,３,３−テトラフルオロプロピレン１５〜２０重量部、フルオロエタン５〜１０重量部からなることを特徴とする請求項１に記載のヒドロフルオロオレフィンを含有する冷媒組成物。
【請求項４】
前記組成物を、その重量配合比率で、液相状態で物理的に混合して、前記冷媒組成物を得ることを特徴とする請求項１に記載のヒドロフルオロオレフィンを含有する冷媒組成物の製造方法。
【請求項５】
前記組成物のＧＷＰ値が１０以下であることを特徴とする請求項１に記載のヒドロフルオロオレフィンを含有する冷媒組成物。
【請求項６】
請求項１に記載のヒドロフルオロオレフィンを含有する冷媒組成物の、自動車、乗用車および鉄道空調システム、家庭用冷凍システム、商業用冷凍システム、工業用冷凍システムやチラーユニットシステムにおける用途。
【請求項７】
前記冷媒組成物に、潤滑剤、可溶化剤、分散剤、孔安定剤から選ばれる少なくとも１種の添加剤を添加することを特徴とする請求項６に記載の用途。
【請求項８】
前記潤滑剤はミネラルオイル、シリコーンオイル、ポリオールエステルから選ばれることを特徴とする請求項７に記載の用途。
【請求項９】
前記冷媒組成物にエーテル系化合物を添加することを特徴とする請求項６に記載の用途。
【請求項１０】
前記エーテル系化合物は、ジメチルエーテル、トリフルオロビニルアリールエーテル、１,１,２,２−テトラフルオロエチルメチルエーテル、１,１,２,２−テトラフルオロエチル−２,２,２−トリフルオロエチルエーテル、ポリグリコールエーテルから選ばれる１種であることを特徴とする請求項９に記載の用途。
【発明の詳細な説明】
【技術分野】
【０００１】
本発明は冷媒組成物に関し、特にヒドロフルオロオレフィンを含有する冷媒組成物に関する。
【背景技術】
【０００２】
「モントリオール議定書」と「京都議定書」が締結されたことによって、冷媒ＣＦＣ−１２（ジクロロジフルオロメタン）の代替品への要求が高まり、新たな冷媒に対してはオゾン層に害を及ぼさないという基本的な要件に加えて可能な限り低いＧＷＰ値（地球温暖化係数）を有することが要求される。
【０００３】
現在、市販されている冷媒ＣＦＣ−１２の代替品は主にＨＦＣ−１３４ａ（１,１,１,２−テトラフルオロエタン）である。ＨＦＣ−１３４ａは優れた熱性能を有し、ＯＤＰ値（オゾン破壊係数）が０であり、不燃性を有するが、ＧＷＰ値が１３７０で、現在のグローバルな省エネルギー及び排出削減の要件を満たさないため、環境により優しく、同時に熱性能がＨＦＣ−１３４ａと同等、またはそれよりも優れた新規冷媒の開発が期待されている。
【０００４】
ＨＦＣに代表される第３世代冷媒は、ＯＤＰ値がゼロで、オゾン層に対し破壊作用がない反面、ＧＷＰ値が高く、京都議定書における温室効果ガスに該当し、欧州議会ではＦ−ｇａｓ法により高ＧＷＰ値のフッ素含有ガスの使用が制限されることになった。２０１６年１０月１５日に開催された、約２００ヶ国が参加する『オゾン層破壊物質に関するモントリオール議定書』の第２８回締約国会議では、ルワンダの首都キガリでハイドロフルオロカーボン（略称ＨＦＣｓ）を削減する議定書の改正案が通過し、各国はＨＦＣｓ削減スケジュールに合意し、国際社会が気候変動に対処するための対策について一致した見解を示した。
【０００５】
ＨＦＯ−１２３４ｙｆ（２,３,３,３−テトラフルオロプロピレン）は、分子式ＣＨ２＝ＣＦＣＦ３、相対分子量１１４．０４、標準沸点−２９．５℃、臨界温度９４．７℃、臨界圧力３．３８ＭＰａであり、良好な熱性能を有し、排気温度が非常に低い。そのため、苛酷な作業条件下での高すぎる排気温度によりコンプレッサモータのコイルが破壊されるのを回避できるとともに、高すぎる温度によるコンプレッサの潤滑条件の悪化や、グリースの分解を防止することができる。単一作動流体の冷媒としては、優れた環境パラメータを有し、オゾン破壊係数ＯＤＰ値が０、地球温暖化係数ＧＷＰ値が４で、製品寿命気候負荷（ＬＣＣＰ）がＨＦＣ−１３４ａより低く、大気分解物がＨＦＣ−１３４ａと同様である。自動車のエアコンにおける同じ作業条件では、ＨＦＯ−１２３４ｙｆの冷却係数がＨＦＣ−１３４ａより低く、単位体積あたりの冷却能力も低い。しかしながらＨＦＯ−１２３４ｙｆの排気温度は非常に低いとともに、飽和液体の比容積が大きい。ＨＦＣ−１３４ａ冷媒の代わりにＨＦＯ−１２３４ｙｆを用いれば、自動車メーカーは従来の車載エアコン（Ｍｏｂｉｌｅ  Ａｉｒ−Ｃｏｎｄｉｔｉｏｎｉｎｇ、ＭＡＣ）システムを引き続き使用できる。このため、ＨＦＯ−１２３４ｙｆは潜在力のある次世代自動車冷媒の代替品と考えられ、現在、西ヨーロッパの自動車メーカーによって使用され、２０１１年以降普及しつつある。ＨＦＯ−１２３４ｙｆは、環境の観点から、ＧＷＰと大気寿命がほかのＨＦＣ−１３４ａの代替冷媒よりも優れているが、低温度での可燃性があるため、火災のリスクがある。
【０００６】
また、冷媒組成物が冷却システムに用いられる場合、冷媒組成物と潤滑剤との相容性の問題を考慮に入れなければならない。ＡＳＨＲＡＥマニュアル：ＨＶＡＣシステム及び装置に記載されるとおり、冷却、空調、又は熱伝達システムにおいて、好ましくは、グリースと冷媒が該システムの少なくともいくつかの部分で互いに接触する。従って、該潤滑剤と冷媒が単独で利用されるか、または予備混合パッケージの一部として冷却、空調、又は熱伝達システムに利用されるかにかかわらず、好ましくは、該システムで接触するため、相容性を有することが必須である。
【０００７】
冷媒組成物が冷却システムに用いられる場合、十分な潤滑剤をシステムのコンプレッサに戻し、コンプレッサを潤滑する必要があり、潤滑剤の適合性は冷媒／潤滑剤特性とシステム自体の特性による。現在使用されているハイドロフルオロカーボン（ＨＦＣ）冷却システムとハイドロクロロフルオロカーボン（ＨＣＦＣ）冷却システムにおける潤滑剤は、ミネラルオイル、シリコーンオイル、ポリアルキルベンゼン、ポリアルキレングリコール、ポリアルキレングリコールエステル、ポリオールエステル、ポリビニルエーテルを含む。ＨＦＣ冷却システムの場合、通常、好ましくはポリアルキレングリコール、ポリアルキレングリコールエステル、ポリビニルエーテル及びポリオールエステルを潤滑剤として使用する。ＨＣＦＣ冷却システムの場合は、通常、ミネラルオイル又はポリアルキルベンゼンを潤滑剤として使用する。
【０００８】
さらに、上記の考え方に基づいて、研究者は、ＨＦＯ−１２３４ｙｆに基づく組成物を複数種開発し、他の成分を添加することで冷却効果を向上させ、グリースとの相容性を向上させ、同時に各成分の長所を活かして、マイナス要因をできるだけ減少させようとした。
【０００９】
中国特許第ＣＮ１２８５６９９Ｃ号には、フルオロエタン（ＨＦＣ−１６１）、１，１−ジフルオロエタン（ＨＦＣ−１５２ａ）及び１,１,１,２−テトラフルオロエタン（ＨＦＣ−１３４ａ）からなる三成分組成物が開示されている。
【００１０】
中国特許出願公開公報ＣＮ１０１７６５６４８Ａには、１,２,３,３,３−ペンタフルオロプロピレン（ＨＦＯ−１２２５ｙｅ）とほかの化合物からなる混合物が開示されている。
【００１１】
中国特許出願公開公報ＣＮ１０１８５１４９０Ａには、２,３,３,３−テトラフルオロプロピレン（ＨＦＯ−１２３４ｙｆ）、ｔｒａｎｓ−１,３,３,３−テトラフルオロエタン（ＨＦＣ−１２３４ｚｅ（Ｅ））及び１,１−ジフルオロエタン（ＨＦＣ−１５２ａ）からなる混合物が開示されている。
【００１２】
中国特許出願公開公報ＣＮ１０１８６４２７７Ａには、２,３,３,３−テトラフルオロプロピレン（ＨＦＯ−１２３４ｙｆ）、１,１−ジフルオロエタン（ＨＦＣ−１５２ａ）及びジメチルエーテル（ＤＭＥ）からなる混合物が開示されている。
【００１３】
中国特許出願公開公報ＣＮ１０２０６６５１８Ａには、２,３,３,３−テトラフルオロプロピレン（ＨＦＯ−１２３４ｙｆ）、１,１,１,２−テトラフルオロエタン（ＨＦＣ−１３４ａ）及び１,１−ジフルオロエタン（ＨＦＣ−１５２ａ）からなる混合物が開示されている。
【００１４】
中国特許出願公開公報ＣＮ１０２０８３９３５Ａには、１,１,１,２−テトラフルオロエタン（ＨＦＣ−１３４ａ）、２,３,３,３−テトラフルオロプロピレン（ＨＦＯ−１２３４ｙｆ）からなる混合物が開示されている。
【００１５】
中国特許出願公開公報ＣＮ１０４４０３６３７Ａには、フッ素変性されたＮｉ含有ハイドロタルサイト化合物０．４−１５重量部、シランカップリング剤０．００２−０．２５重量部、潤滑剤４９．５−９８５重量部、２,３,３,３−テトラフルオロプロピレン４０００−９００００重量部、フルオロエタン０−６００００重量部、１,１−ジフルオロエタン０−１５０００重量部、イソブタン０−５０００重量部、ビス（トリフルオロメチルスルホニル）イミノ化３−メチル−１−プロピルピリジン０．８−１重量部を含む、潤滑剤への良好な相容性を有するテトラフルオロプロピレン組成物及び製造方法が開示されている。
【００１６】
上記特許に開示されている冷媒組成物は、ＧＷＰ値が高いか、又は冷却システムに直接注入できないか、可燃性が高いか、あるいはミネラルオイルを利用できない等の欠点がある。このため、より優れた冷却性を有し、従来のシステムで効率よく交換でき、且つ環境により優しい新規冷媒の開発が期待される。
【発明の概要】
【発明が解決しようとする課題】
【００１７】
本発明が解決しようとする技術的問題は、従来技術の欠点を克服して、環境に優しく、冷却効果が高く、潤滑剤に対する相容性に優れ、ＧＷＰ値が低いヒドロフルオロオレフィンを含有する冷媒組成物を提供することである。
【課題を解決するための手段】
【００１８】
上記技術的問題を解決するために、本発明は以下の技術案によって達成される。ヒドロフルオロオレフィンを含有する冷媒組成物であって、２,３,３,３−テトラフルオロプロピレン５０〜９０重量部、トランス−１,３,３,３−テトラフルオロプロピレン５〜３０重量部、フルオロエタン５〜２０重量部からなる。
【００１９】
好ましくは、２,３,３,３−テトラフルオロプロピレン６０〜８０重量部、トランス−１,３,３,３−テトラフルオロプロピレン１５〜３０重量部、フルオロエタン５〜１０重量部からなる。
【００２０】
好ましくは、２,３,３,３−テトラフルオロプロピレン７０〜８０重量部、トランス−１,３,３,３−テトラフルオロプロピレン１５〜２０重量部、フルオロエタン５〜１０重量部からなる。
【００２１】
本発明はさらに、前記組成物を、その重量配合比率で、液相状態で物理的に混合して、前記冷媒組成物を得る、該ヒドロフルオロオレフィンを含有する冷媒組成物の製造方法を開示する。
【００２２】
本発明に係る組成物のＧＷＰ値は１０以下である。
【００２３】
本発明に係るヒドロフルオロオレフィンを含有する冷媒組成物は、自動車、乗用車および鉄道空調システム、家庭用冷凍システム、商業用冷凍システム、工業用冷凍システムやチラーユニットシステムに用いられ得る。
【００２４】
本発明に係るヒドロフルオロオレフィンを含有する冷媒組成物は、上記システムに用いる場合、好ましくは、前記冷媒組成物に、潤滑剤、可溶化剤、分散剤、孔安定剤から選ばれる少なくとも１種の添加剤を添加する。前記潤滑剤は、好ましくはミネラルオイル、シリコーンオイル、ポリオールエステルである。
【００２５】
本発明に係るヒドロフルオロオレフィンを含有する冷媒組成物は、上記システムに用いられる場合、好ましくは、前記冷媒組成物にエーテル系化合物を添加する。前記エーテル系化合物は、ジメチルエーテル、アリールエーテル、ハイドロフルオロエーテル、ポリオキシアルキレングリコールエーテル等から選ばれる１種、さらに好ましくは、ジメチルエーテル、トリフルオロビニルアリールエーテル、１,１,２,２−テトラフルオロエチルメチルエーテル、１,１,２,２−テトラフルオロエチル−２,２,２−トリフルオロエチルエーテル、ポリグリコールエーテルから選ばれる１種である。
【００２６】
本発明に係るＨＦＯ−１２３４ｙｆ（２,３,３,３−テトラフルオロプロピレン）は、分子式ＣＨ２＝ＣＦＣＦ３、相対分子量１１４．０４、標準沸点−２９．５℃、臨界温度９４．７℃、臨界圧力３．３８ＭＰａであり、良好な熱性能を有し、排気温度が非常に低いため、苛酷な作業条件下での高すぎる排気温度によってコンプレッサモータのコイルが破壊されるのを回避できるとともに、高すぎる温度によるコンプレッサの潤滑条件の劣化、グリース分解を防止する。単一作動流体の冷媒としては、優れた環境パラメータを有し、オゾン破壊係数ＯＤＰ値が０、地球温暖化係数ＧＷＰ値が４で、製品寿命気候負荷（ＬＣＣＰ）がＨＦＣ−１３４ａより低く、大気分解物がＨＦＣ−１３４ａと同様である。自動車のエアコンにおける同じ作業条件下では、ＨＦＯ−１２３４ｙｆの冷却係数がＨＦＣ−１３４ａより低く、単位体積あたりの冷却量も低い。しかしながらＨＦＯ−１２３４ｙｆの排気温度が非常に低いと、飽和液体の比体積が大きくなる。ＨＦＣ−１３４ａ冷媒の代わりにＨＦＯ−１２３４ｙｆを用いれば、自動車メーカーは従来の車載エアコン（Ｍｏｂｉｌｅ  Ａｉｒ−Ｃｏｎｄｉｔｉｏｎｉｎｇ、ＭＡＣ）システムを引き続き使用できる。
【００２７】
本発明に係るＨＦＯ−１２３４ｚｅ（１,３,３,３−テトラフルオロプロピレン）は、Ｅ型で、沸点が−１９℃、無毒の不燃性で、優れた環境パラメータを有し、ＯＤＰ値が０、ＧＷＰ値が６で、製品寿命気候負荷（ＬＣＣＰ）がＨＦＣ−１３４ａより低く、大気分解物がＲ１３４ａと同様であり、さらに、システム性能がＲ１３４ａより優れ、Ｒ１３４ａの代替冷媒として発泡剤、エアロゾル推進剤等の産業の第四世代冷媒に用いられることが最も期待できる。
【００２８】
本発明に係るＨＦＣ−１６１は、ＯＤＰ値がゼロであり、ＧＷＰ値が１２と低く、ＨＣＦＣ−２２のわずか０．６６％で、炭化水素と同様である。さらに、光化学的オゾン生成能ＰＯＣＰが炭化水素よりも遥かに低く、統合的な環境パフォーマンスがＨＣＦＣ−２２や炭化水素より優れる。ＨＦＣ−１６１は、ＨＣＦＣ−２２と類似した基本的な物理的パラメータを有し、飽和蒸気圧曲線が僅かにＨＣＦＣ−２２より低く、Ｒ−２９０に近い。
【００２９】
本発明に係るヒドロフルオロオレフィンを含有する冷媒組成物は、２,３,３,３−テトラフルオロプロピレン、トランス−１,３,３,３−テトラフルオロプロピレン、フルオロエタンを配合成分として、各成分の長所を活かして、マイナス要因をできるだけ減少させることができる。本発明の組成物はＧＷＰ値が低く、環境に優しく、冷却効果が高く、潤滑剤に対する相容性に優れるという利点を有する。
【００３０】
本発明では、原料はすべて市販品として入手できる。
【発明の効果】
【００３１】
従来技術に比べ、本発明は以下の利点を有する。
１、飽和液体の比容積が大きく、冷却システムへの冷媒の注入量を大幅に減らすことができる。
２、環境パフォーマンスに優れ、ＯＤＰ値が０で、ＧＷＰ値がＨＦＣに比べて大幅に低い。
３、排気温度が低く、コンプレッサの耐用年数を延ばし、冷却装置の確実性を向上させる。
４、合成油もミネラルオイルも使用できるため、コストが削減できる。
５、冷却係数、単位体積あたりの冷却量及び作動圧力がすべてＨＦＣと類似するため、コンプレッサを交換することなく、従来の冷媒を交換することができる。
６、優れた難燃性を有する。
【発明を実施するための形態】
【００３２】
以下、実施例にて本発明について更に説明するが、本発明は前記実施例に制限されない。
【００３３】
（実施例１）
２,３,３,３−テトラフルオロプロピレン９０ｋｇ、１,３,３,３−テトラフルオロプロピレン５ｋｇ、フルオロエタン５ｋｇを液相状態で物理的に混合して、冷媒組成物を得る。
【００３４】
（実施例２）
２,３,３,３−テトラフルオロプロピレン８０ｋｇ、１,３,３,３−テトラフルオロプロピレン１５ｋｇ、フルオロエタン５ｋｇを液相状態で物理的に混合して、冷媒組成物を得る。
【００３５】
（実施例３）
２,３,３,３−テトラフルオロプロピレン７０ｋｇ、１,３,３,３−テトラフルオロプロピレン２０ｋｇ、フルオロエタン１０ｋｇを液相状態で物理的に混合して、冷媒組成物を得る。
【００３６】
（実施例４）
２,３,３,３−テトラフルオロプロピレン６０ｋｇ、１,３,３,３−テトラフルオロプロピレン２０ｋｇ、フルオロエタン２０ｋｇを液相状態で物理的に混合して、冷媒組成物を得る。
【００３７】
（実施例５）
２,３,３,３−テトラフルオロプロピレン５０ｋｇ、１,３,３,３−テトラフルオロプロピレン３０ｋｇ、フルオロエタン２０ｋｇを液相状態で物理的に混合して、冷媒組成物を得る。
【００３８】
（実施例６）
２,３,３,３−テトラフルオロプロピレン７０ｋｇ、１,３,３,３−テトラフルオロプロピレン２５ｋｇ、フルオロエタン５ｋｇを液相状態で物理的に混合して、冷媒組成物を得る。
【００３９】
（実施例７）
２,３,３,３−テトラフルオロプロピレン８０ｋｇ、１,３,３,３−テトラフルオロプロピレン５ｋｇ、フルオロエタン１５ｋｇを液相状態で物理的に混合して、冷媒組成物を得る。
【００４０】
（実施例８）
２,３,３,３−テトラフルオロプロピレン７５ｋｇ、１,３,３,３−テトラフルオロプロピレン２０ｋｇ、フルオロエタン５ｋｇを液相状態で物理的に混合して、冷媒組成物を得る。
【００４１】
（実施例９）
２,３,３,３−テトラフルオロプロピレン７０ｋｇ、１,３,３,３−テトラフルオロプロピレン１５ｋｇ、フルオロエタン１５ｋｇを液相状態で物理的に混合して、冷媒組成物を得る。
【００４２】
性能テスト
実施例１〜９で得られた製品について性能テストを行い、結果を表１に示す。
【００４３】
燃焼性試験
米国ＡＳＴＭ−Ｅ６８１−０１標準に準じて、燃焼性試験を行う。ここで、ＬＦＬは燃焼限界の低限定値を指し、ＬＦＬ値が大きいほど、燃焼性が低い。
【００４４】
ＣＯＰテスト
実施例１〜９で得られた製品とＨＦＯ−１２３４ｙｆをそれぞれグリース及びエーテル系化合物と混合して、その性能を測定した。異なる蒸発温度と凝縮温度でＨＦＯ−１２３４ｙｆと実施例１〜９で得られた製品のＣＯＰ値を測定した。
【００４５】
【表１】
2019508518.tif 000002
【国際調査報告】
2019508518.tif 000003
2019508518.tif 000004
2019508518.tif 000005
2019508518.tif 000006
2019508518.tif 000007
2019508518.tif 000008